(57)【要約】  器具ハンドルとともに使用する装置であって、ハウジングと、ハウジング内に受容可能なノブであって、ノブは、器具バルブ及びネックを受容する鍵穴構造を有する、ノブと、ノブを受容する、ハウジング内のスロットと、を含み、ノブは、器具バルブ及びネックの設置及び取り外しを容易にするためにスロット内に圧入される、装置について開示している。
2020509838.tif 000002
【特許請求の範囲】
【請求項１】
器具ハンドルとともに使用する装置であって、
ハウジングと、
前記ハウジング内に受容可能なノブであって、前記ノブは、器具バルブ及びネックを受容する鍵穴構造を有する、ノブと、
前記ノブを受容する、前記ハウジング内のスロットと、
を備え、
前記ノブは、器具の設置及び取り外しを容易にするために前記スロット内に圧入される、
装置。
【請求項２】
少なくとも１つのばねと、
前記少なくとも１つのばねを圧縮及び解放するように構成されている、前記ノブに取り付けられた少なくとも１つのばね支持体と、
を更に備える、請求項１に記載の装置。
【請求項３】
前記少なくとも１つのばねの前記解放により、前記ノブをロック位置に配置する、請求項２に記載の装置。
【請求項４】
前記少なくとも１つのばねの前記圧縮により、前記器具の設置及び取り外しを容易にするために前記ノブを開放位置に配置する、請求項２に記載の装置。
【請求項５】
前記スロットは、円筒状である、請求項１に記載の装置。
【請求項６】
前記ノブは、直方体の形状を有する、請求項１に記載の装置。
【請求項７】
前記ノブは、前記円筒状スロット内に嵌合する丸みを帯びた縁部を有する、請求項５に記載の装置。
【請求項８】
前記ノブは、挿入された器具の望ましくない分離を防止する切削溝を備える、請求項１に記載の装置。
【請求項９】
前記ハウジングは高さを有し、前記器具を設置する又は取り外すために、前記ノブが前記高さよりも下に前記スロット内に圧入される、請求項１に記載の装置。
【請求項１０】
前記ハウジングは、バルブとネックとシャフトとを有する交換式器具を受容するように構成されている、請求項１に記載の装置。
【請求項１１】
前記鍵穴構造は、器具受容部と、器具と連結する角度付き連結面と、を備える、請求項１に記載の装置。
【請求項１２】
前記連結面は、前記器具のネックを、その周囲１８０度超で受容するように構成された円形状を有する、請求項１０に記載の装置。
【請求項１３】
前記ハウジングの中に形成された複数の水抜き穴を更に備える、請求項１に記載の装置。
【請求項１４】
前記複数の水抜き穴は、前記ハウジング内の前記ノブの取付方向と反対側の前記ハウジングの側面上に形成されている、請求項１３に記載の装置。
【請求項１５】
前記ノブは、凹面を有する押圧スポットを含む、請求項１に記載の装置。
【請求項１６】
前記ハウジングは前記ハウジング内の前記ノブの取付方向に垂直な方向にピンを受容するように構成されたピン穴を含む、請求項１に記載の装置。
【請求項１７】
前記ハウジングは、前記器具が前記装置に連結されたときに回転するのを防止する張り出し部を含む、請求項１に記載の装置。
【請求項１８】
高さを有し、ノブが内部に挿入されているハウジングを使用して、器具を定位置にロックする方法であって、
器具先端部の取り外し及び設置を可能にするために、前記ハウジングの前記高さよりも下に前記ノブを押圧することと、
前記ノブを解放して、前記器具先端部を定位置にロックすることと、
を含む、方法。
【請求項１９】
前記器具先端部は前記ハウジングの鍵穴構造内に受容され、前記鍵穴構造は、器具受容部と連結面と切削溝とを有する、請求項１８に記載の方法。
【請求項２０】
第１の位置から第２の位置へ前記ノブをシフトさせて、前記器具を定位置にロックすることを含み、前記第１の位置では、前記器具のネックは実質的に前記器具受容部内にあり、前記第２の位置では、前記器具の前記ネックは実質的に前記連結面内にある、請求項１９に記載の方法。
【発明の詳細な説明】
【技術分野】
【０００１】
本明細書で説明する実施形態は、様々な交換可能器具を保持及び解放するための連結装置を含む。
【背景技術】
【０００２】
器具をハンドルに連結する連結装置は、ピンなどの内部構成要素の屈曲及び破壊、又は器具が連結具に詰まるなどの問題を有し得る。器具の前部に抵抗がないときにハンマがハンドルに当たると、いくつかの問題が生じ得る。部品の慣性及び設計により、部品が望ましくない分離方向に移動できるようになり得る。また、小さい連結域は、接触領域内の永久変形をもたらし得る。
【発明の概要】
【課題を解決するための手段】
【０００３】
様々な実施形態の簡単な概要が、以下に提示される。以下の概要では、いくつかの単純化及び省略が行われることがあり、これらは、様々な実施形態のいくつかの態様を強調及び紹介することを意図しており、本発明の範囲を限定することを意図しない。当業者が本発明の概念を作り上げ、使用することができるようにするために、適切な実施形態に関する詳細な説明が、この後の各項に続く。
【０００４】
様々な例示的な実施形態は、器具ハンドルとともに使用する装置であって、ハウジングと、ハウジング内に受容可能なノブであって、ノブは、器具バルブ及びネックを受容する鍵穴構造を有する、ノブと、ノブを受容する、ハウジング内のスロットと、を含み、ノブは、器具の設置及び取り外しを容易にするためにスロット内に圧入される、装置に関する。
【０００５】
この装置は、少なくとも１つのばねと、少なくとも１つのばねを圧縮及び解放するように構成されている、ノブに取り付けられた少なくとも１つのばね支持体と、を更に含んでもよい。
【０００６】
少なくとも１つのばねの解放により、ノブをロック位置に配置し得る。
【０００７】
少なくとも１つのばねの圧縮により、器具の設置及び取り外しを容易にするためにノブを開放位置に配置し得る。
【０００８】
スロットは、円筒状とすることができる。
【０００９】
ノブは、直方体の形状を有し得る。
【００１０】
ノブは、円筒状スロット内に嵌合する丸みを帯びた縁部を有し得る。
【００１１】
ノブは、挿入された器具の望ましくない分離を防止する切削溝を含み得る。
【００１２】
ハウジングは高さを有し得、器具を設置する又は取り外すために、ノブが高さより下にスロット内に圧入され得る。
【００１３】
ハウジングは、バルブとネックとシャフトとを有する交換式器具を受容するように構成され得る。
【００１４】
鍵穴構造は、器具受容部と、器具と連結する角度付き連結面と、を含み得る。
【００１５】
連結面は、器具のネックを、その周囲１８０度超で受容するように構成された円形状を有し得る。
【００１６】
装置は、ハウジングの中に形成された複数の水抜き穴を含み得る。
【００１７】
複数の水抜き穴は、ハウジング内のノブの取付方向と反対側のハウジングの側面上に形成され得る。
【００１８】
ノブは、凹面を有する押圧スポットを含み得る。
【００１９】
ハウジングは、ハウジング内のノブの取付方向に垂直な方向にピンを受容するように構成されたピン穴を含み得る。
【００２０】
ハウジングは、器具が装置に連結されたときに回転するのを防止する張り出し部を含み得る。
【００２１】
様々な例示的な実施形態はまた、高さを有し、ノブが内部に挿入されているハウジングを使用して、器具を定位置にロックする方法であって、器具先端部の取り外し及び設置を可能にするようにハウジングの高さよりも下にノブを押圧することと、ノブを解放して、器具先端部を定位置にロックすることと、を含む、方法に関する。
【００２２】
器具先端部はハウジングの鍵穴構造内に受容され得、鍵穴構造は器具受容部と連結面と切削溝とを有する。
【００２３】
この方法は、第１の位置から第２の位置へノブをシフトさせて、器具を定位置にロックすることを含み得、第１の位置では、器具のネックは実質的に器具受容部内にあり、第２の位置では、器具のネックは実質的に連結面内にある。
【図面の簡単な説明】
【００２４】
本発明の追加の目的及び特徴は、図面と併せて読むと、以下の詳細な説明及び添付の特許請求の範囲からより容易に明らかとなるであろう。いくつかの実施形態が図示及び説明されているが、同様の参照番号は、図面のそれぞれにおける同様の部品を特定する。
【図１】本明細書で説明する実施形態による、器具ハンドル上の迅速連結装置の斜視図を示す。
【図２】本明細書で説明する実施形態による、迅速連結装置のハウジングの斜視図を示す。
【図３】図２によるハウジングの底面図を示す。
【図４】図２によるハウジングの断面図を示す。
【図５】本明細書で説明する実施形態による、ノブの斜視図を示す。
【図６】本明細書で説明する実施形態による、ノブが挿入されているハウジングを有する迅速連結装置の断面図を示す。
【図７】図５によるノブの断面図を示す。
【図８】本明細書で開示した迅速連結装置とともに使用され得る交換式器具の一端の一例を示す。
【図９】本明細書で説明する実施形態による、ロック位置にあるバルブ及びネックの断面図を示す。
【図１０】本明細書で説明する実施形態による、ノブがロック位置にある迅速連結装置の断面図を示す。
【図１１】本明細書で説明する実施形態による、ロック位置においてノブが器具ネックを連結面に連結している迅速連結装置の断面図を示す。
【図１２】本明細書で説明する実施形態による、ノブ及び器具バルブが開放位置にある迅速連結装置の断面図を示す。
【図１３】本明細書で説明する実施形態による、ノブ及び器具バルブが部分的ロック位置にある迅速連結装置の断面図を示す。
【図１４】本明細書で説明する実施形態による、器具挿入方向の迅速連結装置の断面図である。
【図１５】本明細書で開示した実施形態による、ノブに対する衝撃力を示している迅速連結装置の断面図を示す。
【発明を実施するための形態】
【００２５】
図面は単に概略図であり、縮尺どおりに描かれていないことを理解されたい。同一の参照番号は、同一又は類似の部品を示すために図面全体にわたって使用されることも理解されたい。
【００２６】
本明細書及び図面は、様々な例示的実施形態の原理を示す。このため、当業者は、本明細書には明示的に説明又は提示されていないが、本発明の原理を具体化し、本発明の範囲内に包含される様々な構成を考案することが可能であることを理解されたい。更に、本明細書中に示される全ての実施例は、本発明の原理、及び本技術を推し進めるために本発明者（複数可）によって寄与された概念を理解する際に読者を支援する教育的目的であることが主に明白に意図されており、このような詳細に示された実施例や条件に限定されないものとして解釈されるべきである。また、用語「又は」は、本明細書中で使用される場合、特段の指示（例えば、「又は他方」あるいは「又は代替的に」）がなければ、非排他的論理和（すなわち、及び／又は）を指す。また、いくつかの実施形態を、１つ又は複数の他の実施形態と組み合わせて新しい実施形態を形成することができるため、本明細書で説明する様々な実施形態は、必ずしも相互に排他的ではない。本明細書中で使用される場合、用語「文脈」及び「文脈オブジェクト」は、特段の指示がなければ、同義であると理解されよう。「第１」、「第２」、「第３」などの記述は、説明される要素の順序を制限することを意味するものではなく、ある要素を次の要素と区別するために使用され、概して交換可能である。
【００２７】
一般に、新たに導入された部品に構成要素の番号付けが実行され、新しい参照番号が使用される。いくつかの図面では、過剰な番号付けを防止するために、前の図面の構成要素部品を後の図面に持ち越す。
【００２８】
図１は、本明細書で説明する実施形態による、器具ハンドル１１０上の迅速連結装置１００の斜視図を示す。迅速連結装置１００は、ノブ１３０が挿入され連結されたハウジング１２０を含む。器具ハンドル１１０は、迅速連結装置１００に隣接する近位端と、迅速連結装置１００から遠端にある遠位端とを有してもよい。ハンマ又は他の打撃器具（図示せず）を器具ハンドル１１０の遠位端の打撃キャップ１１５に対して適用して、迅速連結装置１００に連結された器具を打撃の方向に駆動することができる。ハンドル１１０は、把持目的のためにシリコーンカバーなどでオーバーモールドされた主部１４０を含んでもよい。主部１４０は、カバーを通って延び、溶接又は他の方法によって迅速連結装置１００のハウジング１２０に接続されてもよい。ハウジング１２０は、アルミニウム又は同様の金属若しくは合金で作製された鋳造金属部品であり得る。ハウジング１２０は、チゼル、ファイル、ナイフ、マロット、骨キュレット、上昇機などを含む複数の交換可能器具のうちの任意の１つを受容及び解放するように構成された器具開口部１５０を含み得る。図１に示すように、ノブ１３０は、ハウジング１２０からロック位置に突出している。
【００２９】
図２は、本明細書で説明する実施形態による、迅速連結装置１００のハウジング１２０の斜視図を示す。ハウジング１２０は、接続ロッド２４５を含む。接続ロッド２４５は、ハンドル１１０の主部１４０に挿入され、次いでハウジング１２０に溶接される。ハウジング１２０の形状又は断面は、接続ロッド２４５に向かって大きくなっており、器具開口部１５０に近づくにつれより狭くなるようにテーパ状になっている。ハウジング１２０のより広い部分は、挿入された器具をハウジング１２０に連結するのに十分な大きさのノブ１３０を受容するように構成されている。ハウジング１２０のより狭い部分は、張り出し部２５５を含む。張り出し部２５５は、その外側では丸みを帯びており、内側では平坦である。張り出し部２５５の内側平坦面は、器具の平坦なセクションと連結して、迅速連結装置１００に連結されたときに器具が回転するのを防止する。
【００３０】
ハウジング１２０の外部特徴部は、いくつかの装置要素が受容されるいくつかの涙滴又は水滴面形状２２５ａ及び２２５ｂを含む。本明細書で説明するように、第１の水滴形状２２５ａを通して、ノブ１３０を受容するためのスロット２１０が製造される。第２の水滴形状２２５ｂを通して、その片側にピン穴２３５が位置付けられる。本明細書の実施形態で説明するように、ノブ１３０がスロット２１０に挿入された後、ピンがピン穴２３５に挿入されて、ノブ１３０がハウジング１２０から取り外されるのを防止し、したがって、ノブ１３０をスロット２１０内に捕捉し、器具を迅速連結装置１００に連結することができる。
【００３１】
図３は、図２によるハウジング１２０の底面図を示す。本明細書で説明する実施形態は、挿入されたノブ１３０をハウジング１２０から取り外す必要なく、又は迅速連結装置１００をハンドル１１０から取り外すことなく、迅速連結装置１００の洗浄を容易にする。ハウジング１２０の片側には、複数の水抜き穴３１０ａ及び３１０ｂが製造されている。水抜き穴は、円３１０ａ又は細長い楕円３１０ｂなどの様々な形状を有するように設計及び製造されてもよいが、この形状は、これらに限定されず、所与の目的を達成するために様々な形状を取り得る。水抜き穴３１０ｂは、ハウジング１２０内に形成された円筒形状のスロットに対応するように湾曲していてもよい。水抜き穴３１０ａは、以下で説明するばねに対応し得る。水抜き穴及びノブ１３０とハウジング１２０との間の他の間隙はまた、迅速連結装置１００が、洗浄又は再処理のために器具ハンドル１１０に締結されたままであることを可能にする。
【００３２】
図４は、図２によるハウジング１２０の断面図である。ハウジング１２０は、ノブ１３０が挿入される第１の方向でハウジング１２０内に延びるスロット２１０を含む。スロット２１０は、円筒形状を有してもよい。スロット２１０は、ハウジング１２０内に延びるが、ハウジング１２０を完全には貫通しない。スロット２１０は、ノブ１３０が挿入される第１のスロット開口部４１２を含む。スロット２１０は、ノブ１３０に連結するために交換式器具の受容された器具バルブ、ネック、及びシャフトが受容される第２のスロット開口部４１４を含む。ハウジング１２０の一端は、器具が最初に取り付けられる器具開口部１５０である。器具は、第２のスロット開口部４１４と器具開口部１５０との間に配置されたチャネル４１６を通過し、その中に固定される。スロット２１０は、ノブ１３０がスロット２１０内に受容される方向である第１の方向に延びてもよい。チャネル４１６は、器具を受容するために、第１の方向に実質的に垂直な第２の方向に延びてもよい。
【００３３】
図５は、本明細書で説明する実施形態によるノブ１３０の斜視図を示す。ノブ１３０は、一般に、４つの壁を備える直方体の形状を有し得る。ノブ１３０は、４つの壁に隣接する上部５０５と、上部５０５の反対側の平坦な下面５１０とを含み得る。ノブ１３０の上部５０５は、ノブ１３０をスロット２１０の中へと押圧するのを容易にするために、丸みを帯びた形状、矩形、又は他の形状であってもよい。ノブ１３０は、アルミニウム又は同様の金属若しくは合金で作製された鋳造金属部品であり得る。洗浄を容易にするために、水、液体、デブリ、及び小粒子が迅速連結装置１００を通過するために、ノブ１３０の直方体形状により、４つの壁と円筒状スロット２１０との間に空間がもたらされる。ノブ１３０の上部５０５は、迅速連結装置１００への器具の連結、連結解除、及び取り外しを容易にするためにユーザが押圧することができる、窪んだ凹状押圧スポット５１５を含んでもよい。
【００３４】
スロット２１０が円筒形状を有するため、ノブ１３０は、４つの壁をそれぞれ接続して、ノブ１３０がスロット２１０内に嵌合して摺動することを可能にする４つの丸みを帯びた角部５２０を含んでもよい。丸みを帯びた角部５２０により、ノブ１３０とスロット２１０との間の接触面を少量にすることで、非接触領域によってより自由な空間を提供することができ、装置の洗浄を可能にする。ノブ１３０の上面５１０は、押圧スポット５１５を取り囲み、ノブ１３０の４つの丸みを帯びた角部５２０に接続するように構成されたリム５１１を含む。リム５１１は、第１の平坦部５１２と、湾曲部５１３と、第１の平坦部５１２に実質的に垂直な第２の平坦部５１４と、を含む、いくつかの部分を含んでもよい。別個に示されているが、第１の平坦部５１２、湾曲部５１３、及び第２の平坦部５１４は、一般に、鋳造金属の１つの連続部品から形成される。
【００３５】
本明細書で説明する実施形態は、ノブ１３０とハウジング１２０との間に多くの開口部を提供して、迅速連結装置１００の洗浄及び再処理のために、水、他の液体、及びデブリがノブ１３０及びハウジング１２０を通過できるように構成される。１つの壁５２２及び反対側の壁（図示せず）には、壁５２２及び反対側の壁の領域の大部分を占める楕円形の広い開口部５２３が形成されている。壁５２２には、ばね支持体５３０によって分離された、ピンスロット５２４ａと、ばね溝５２４ｂと、を含む別の壁５２４が隣接している。ばね溝５２４ｂは、壁５２２及びその反対側の壁から等距離のノブ１３０の中央に位置付けられる。広い開口部５２３は、水及び他の粒子が流れるための空間を提供することができる。ピンスロット５２４ａは、ピン（図１０に示されている）の周囲で、ノブ１３０をスロット２１０の内外にガイドすることができる。ピンは、ハウジング１２０のピン穴２３５を通してピンスロット５２４ａ内に挿入される。ピンは、ばね支持体５３０のピン接触部５３０ａに当接する。器具を挿入又は解放するために押圧スポット５１５を押圧すると、ノブ１３０のピンスロット５２４ａは、ピンの周囲で上下に摺動する。ピンは、ピン穴２３５によってハウジング１２０内にきつく嵌合することよって適所に保持される。
【００３６】
壁５２２及び５２４並びにその反対側の壁は平坦であるため、迅速連結装置１００は、洗浄時に水、液体、及び他のデブリが通過するように、壁と円筒状スロット２１０との間に有意な空間を含む。この洗浄の容易さにより、ノブ１３０をハウジング１２０から取り外すことなく、かつ迅速連結装置１００を隣接するハンドルから取り外すことなく、洗浄プロセスを実行することが可能になる。
【００３７】
もう一方の壁５２４の反対側の壁（図示せず）は、別のばね支持体５３０の下に別のばね溝５２４ｂを含む。反対側の壁上のばね支持体５３０の上は、洗浄又は再処理時に液体及びデブリが通過するのを可能にするための灌注穴５３５である。ノブ１３０の内側は、本明細書で説明するように、器具を定位置でロックするように構成されている、連結面５６４と大きな角度付き表面５６４ｂとを含む鍵穴構造５６０の部分である。
【００３８】
図６は、本明細書で説明する実施形態による、挿入されたノブ１３０が矩形の上部を有しているハウジング１２０を有する迅速連結装置１００の断面図を示す。ノブ１３０の上面６０５は、当業者に認識可能な同様の目的のために使用され得る、概ね矩形形状又は他の多角形形状を有してもよい。
【００３９】
図７は、図５によるノブ１３０の断面図を示す。この図は、器具バルブ及びネック（図８に図示される器具８００）が挿入され得る鍵穴構造５６０を示している。鍵穴構造５６０は、器具受容セクション７６２と連結面５６４と切削溝７６８とを含む、３つのセクションを含む。ノブ１３０内の切削溝７６８は、器具８００の前方運動をノブ１３０の分離運動に変換することを防止する。対向する壁部上の鍵穴構造５６０の両側には、ばね支持体５３０が配置されている。ばね（図１０に示されている）は、ばね支持体５３０に対して圧縮及び解放して、迅速連結装置１００に器具を挿入し、それに連結し、そこから解放する。ノブ１３０の頂部は、押圧スポット５１５である。図示のように、押圧スポット５１５は、凹状の形状を有してもよく、リム５１１の第１の平坦部５１２から内側に窪んでいてもよい。押圧スポット５１５は、０．５ｍｍ程度の深さを有してもよい。
【００４０】
図８は、本明細書で開示した迅速連結装置１００とともに使用され得る交換式器具の一端の一例を示す。器具８００の一端には、バルブ８１０、第１の角度付き表面８１０ａ、角度付きリッジ８１０ｂ、ネック８１５、シャフト部８２０、及び第２の角度付き表面８２０ａがある。器具８００は、ノブ１３０の鍵穴構造５６０に取り外し可能に取り付けられてもよい。器具８００は、様々なヘッドを備える様々な交換式チゼルのうちの１つであってもよい。器具はまた、複数の交換式のファイル、ナイフ、マロット、骨キュレット、上昇機など、又は当業者に理解されるようにハンマ若しくは他の鈍器で打撃され得る他の交換式器具のうちの１つであってもよい。
【００４１】
図７及び図８を参照すると、鍵穴構造５６０は、交換式器具８００の端部を受容するように構成されている。連結面５６４は、器具８００のネック８１５を受容するように構成されている。図１４に示すように、連結面５６４は、小さな角度付き表面５６４ａと大きな角度付き表面５６４ｂと平坦面５６４ｃとを更に含む。交換式器具８００のバルブ８１０がチャネル４１６を通して、かつ第２のスロット開口部４１４を通して挿入されると、器具のネック８１５は、ノブ１３０の連結面５６４の頂部にしっかりと載置される。器具８００の適所へのロック、及び望ましくない分離の防止は、バルブ８１０の第１の角度付き表面８１０ａと連結面５６４の大きな角度付き表面５６４ｂとを連結することによって行われる。適所にあるとき、器具８００のバルブ８１０は、ノブ１３０の片側に配置され、シャフト部８２０は、連結面５６４上に載置されているノブ１３０の中央のネック８１５と反対側にある。本明細書で説明する実施形態によれば、ノブ１３０による器具８００の連結は、器具ハンドル１１０の遠位端上の打撃方向に実質的に垂直な方向であってもよい。垂直な連結、及び連結面５６４ｂと第１の角度付き表面８１０ａとの間に形成された接触領域の結果として、器具８００は、サイズ調整により迅速連結装置１００内に詰まらず、器具ハンドル１１０の遠位端への自由な打撃中に連結から解放されない。
【００４２】
分離の更なる防止は、切削溝７６８によって実施される。切削溝７６８は、チゼル又は他の器具が抵抗のないハンマ打撃によって打撃されると、ノブ１３０上の望ましくない純粋な下向きの力（図１５に示すような）を防止し、器具の意図しない分離を防止する。
【００４３】
図９は、本明細書で説明する実施形態による、ロック位置にあるバルブ８１０及びネック８１５の拡大断面図を示す。ノブ１３０とともに器具８００のネック８１５を適所に確実に保持するために、大きな角度付き表面５６４ｂを含む連結面５６４は、連結面５６４より生じた円の１８０度超上で、第１の角度付き表面８１０ａを含むバルブ８１０を受容するように構成された円形表面を有してもよい。連結面５６４の１８０度超のこの距離は、接触領域を増大させて、切削溝７６８によって作製された接触領域の減少を相殺する。拡大された接触領域と切削溝との組み合わせは、ハンマ又は打撃器具から器具ハンドル１１０の遠位端への抵抗のない打撃中における器具８００の連結解除及び／又は変形を防止する。
【００４４】
図１０は、本明細書で説明する実施形態による、器具が挿入されていない、ノブ１３０ロック位置にある迅速連結装置１００の断面図を示す。図１の断面線Ａ−Ａ’に沿って取ると、鍵穴構造５６０を有するノブ１３０は、器具が挿入される前、又は器具が取り外された後のロック位置に示されている。迅速連結装置１００がロック位置にあるとき、ノブ１３０は、ハウジング１２０から突出している。図１０には、ノブ１３０が動き得るスロット２１０の空間、ばね支持体５３０、ばね１０３３、ピン１０４０、及びピンスロット５２４ａが示されている。ユーザが押圧スポット５１５を押圧することにより、ノブ１３０のリム５１１がスロット２１０内で前後に摺動することが可能になる。ピン１０４０は、器具８００をロード又はアンロードするときに、又は器具８００が存在しないときに、ノブ１３０の望ましくない回転を防止することができる。ばね支持体５３０は、ばね１０３３と相互作用するために、ノブ１３０に取り付けられても、又はノブ１３０と一体的に形成されてもよい。ユーザが押圧スポット５１５を押圧して器具をロード又はアンロードするときに、迅速連結装置１００に設置された１つ又は２つのばね１０３３が圧縮される。押圧スポット５１５が解放されると、ばね（単数又は複数）１０３３が拡張し、ノブ１３０を押してハウジング１２０から突出するロック位置に延びる。１つのばね溝５２４ｂ内の単一のばね又は２つのばね溝５２４ｂ内の２つのばねを使用して、ノブ１３０を上げ下げすることができる。したがって、ノブ１３０は、スロット２１０内に解放可能に位置付けられてもよい。
【００４５】
初期の組立て中、ばね１０３３が圧縮されると、ピン１０４０はハウジング１２０内のピン穴２３５に挿入されて、ピンスロット５２４ａと位置合わせされる。ピン１０４０は、２つの直径、最初に挿入されるより狭い部分、続いてピンを定位置で保持するのを助けるためのより広い部分を含んでもよい。ピン１０４０は、ピン１０４０の圧入をより容易にするようにサイズ決めされてもよい。ピン１０４０が挿入されると、ノブ１３０は、ばね支持体５３０のうちの１つがピンに当接し、ノブ１３０がスロット２１０から引き抜かれることを防止するように解放されてもよい。ピン１０４０から連結面までの距離は、ばね支持体５３０がピン１０４０に当接すると、器具８００のネック８１５がハウジング１２０内にしっかりと保持されるように、予め決められている。製造中、ピン１０４０は、ハウジング１２０に圧入及び溶接される。
【００４６】
図１１は、本明細書で説明する実施形態による、ロック位置においてノブ１３０が器具ネック８１５を連結面５６４に連結している備える迅速連結装置１００の断面図を示す。簡略化のために、ピン及びばねは示されていない。図１２は、本明細書で説明する実施形態による、ノブ１３０及び器具ネックが開放位置にある迅速連結装置１００の断面図を示す。図１３は、本明細書で説明する実施形態による、ノブ１３０及び器具バルブが部分的ロック位置にある迅速連結装置１００の断面図を示す。
【００４７】
迅速連結装置１００を使用する方法について、添付の図面を参照して本明細書で説明する。実施形態によれば、迅速連結装置１００内に連結された器具８００を最初に連結又は解放するために、ユーザは、図１２に示すように、ノブ１３０の押圧スポット５１５をハウジング１２０の外側に突出するロック位置から、ハウジング１２０内に押し込むことができる。
【００４８】
迅速連結装置１００の設計によれば、ノブ１３０の器具受容セクション（図７に示される７６２）が、スロット２１０の第２のスロット開口部４１４及びチャネル４１６と位置合わせされるために、ノブ１３０の上面５０５全体がハウジング１２０内に完全に押し込まれる。これを達成するために、図１２に示すように、リム５１１及び押圧スポット５１５全体が、距離Ｄだけスロット２１０に押し込まれる。距離Ｄは、例えば、スロット２１０内に０．５ｍｍ入っていてもよい。
【００４９】
図１３に示すように、リム５１１の第１の平坦部５１２のみがハウジング１２０の平坦部１３１２と同一平面になるように押されるある場合、器具を解放又は挿入することができない。これが生じた場合、連結面５６４と器具受容セクション７６２との間の角１３７０は、器具８００の取り外し又は挿入を阻止又は妨害する。したがって、本明細書で説明する実施形態は、器具８００の意図しない解放を防止する安全機構として角１３７０を含む。ハウジング１２０と同一平面にあるリム５１１の第１の平坦部５１２を押圧するだけでなく、スロット２１０内に完全には押し込まれない平坦面に対してノブ１３０が押圧される場合、器具８００のバルブ８１０並びに第１の角度付き表面８１０ａ及び角度付きリッジ８１０ｂを含む第１の角度付き表面は、角１３７０によって係合され、器具を取り外すことができない。
【００５０】
図１４は、本明細書で説明する実施形態による、器具挿入方向の迅速連結装置１００の断面図である。図１４に示すように、ノブ１３０の連結面５６４は、挿入された器具８００を収容するために、複数の異なる形状を備える外形を有してもよい。断面の連結面は、小さな角度付き表面５６４ａ、大きな角度付き表面５６４ｂ、並びに小さな角度付き表面５６４ａと大きな角度付き表面５６４ｂとを接続する平坦面５６４ｃを含んでもよい。小さな角度付き表面５６４ａは、器具シャフト８２０の反対側の角度付き表面８２０ａに当接してもよい。器具８００の適所へのロックは、バルブ８１０の第１の角度付き表面８１０ａと連結面５６４の大きな角度付き表面５６４ｂとによって行われる。平坦面５６４ｃは、器具ネック８１５の反対側の平坦面と連結してもよい。
【００５１】
小さな角度付き表面５６４ａと大きな角度付き表面５６４ｂとの角度により、ハンドル１１０の打撃キャップが作用すると、器具８００の矢印の方向の前方運動１４１０は、ノブ１３０上で前方運動及び半径方向運動に変換される。
【００５２】
図１５は、本明細書で開示した実施形態によるノブ１３０に対する衝撃力を示している迅速連結装置１００の断面図を示す。器具ハンドル１１０の打撃キャップ１１５が作用すると、切削溝７６８によって作製されたノブ１３０上の接触領域が低減されることにより、迅速連結装置１００内で器具８００の純粋な下向き運動はない。図１５は、大きな角度付き表面５６４ｂを含む連結面５６４に対して半径方向に作用する複数の力線１５１０を示す。切削溝７６８のため、力の群１５１０内に純粋な下向きの力線は存在しない。ノブ１３０の半径方向運動は、ハウジング１２０によって防止される。器具８００に反映された残りの力は、連結面５６４と器具８００との間の静止摩擦とノブ１３０をロック位置に押圧するばね１０３３の力との組み合わせを超えない。したがって、切削溝７６８は、迅速連結装置１００のノブ１３０内に取り付けられた器具８００の安定化を補助し、器具８００は、器具上で起こった前方運動又は力が存在する場合には分離しない。
【００５３】
本明細書で説明する実施形態によれば、ハンドルを備えた迅速連結装置１００は、器具のための使いやすい、洗浄が容易な、安全かつ効果的な連結機構を提供する。ハンドルを備えた迅速連結装置１００は、ユーザの他方の手が器具を挿入又は解放している間に片手で操作されてもよい。この設計により、洗浄を容易にすることができ、迅速連結装置のハンドルからの分解も、ハウジング１２０からのノブ１３０の分解も必要としない。
【００５４】
様々な実施形態が、特にそれらの特定の態様を参照しながら詳細に説明されてきたが、本明細書で説明する実施形態は、他の実施形態も可能であり、またその詳細については、種々の明白な点において修正が可能であることを理解されたい。当業者にはすでに明らかなように、本明細書で説明する実施形態の趣旨及び範囲内に留めながら変形及び修正を実施することが可能である。したがって、前述の開示、説明、及び図面は、単に例示的な目的のみのためであって、本明細書で説明する実施形態を何ら限定するものではなく、本明細書で説明する実施形態は、特許請求の範囲によってのみ定義される。
【００５５】
〔実施の態様〕
（１）  器具ハンドルとともに使用する装置であって、
ハウジングと、
前記ハウジング内に受容可能なノブであって、前記ノブは、器具バルブ及びネックを受容する鍵穴構造を有する、ノブと、
前記ノブを受容する、前記ハウジング内のスロットと、
を備え、
前記ノブは、器具の設置及び取り外しを容易にするために前記スロット内に圧入される、
装置。
（２）  少なくとも１つのばねと、
前記少なくとも１つのばねを圧縮及び解放するように構成されている、前記ノブに取り付けられた少なくとも１つのばね支持体と、
を更に備える、実施態様１に記載の装置。
（３）  前記少なくとも１つのばねの前記解放により、前記ノブをロック位置に配置する、実施態様２に記載の装置。
（４）  前記少なくとも１つのばねの前記圧縮により、前記器具の設置及び取り外しを容易にするために前記ノブを開放位置に配置する、実施態様２に記載の装置。
（５）  前記スロットは、円筒状である、実施態様１に記載の装置。
【００５６】
（６）  前記ノブは、直方体の形状を有する、実施態様１に記載の装置。
（７）  前記ノブは、前記円筒状スロット内に嵌合する丸みを帯びた縁部を有する、実施態様５に記載の装置。
（８）  前記ノブは、挿入された器具の望ましくない分離を防止する切削溝を備える、実施態様１に記載の装置。
（９）  前記ハウジングは高さを有し、前記器具を設置する又は取り外すために、前記ノブが前記高さよりも下に前記スロット内に圧入される、実施態様１に記載の装置。
（１０）  前記ハウジングは、バルブとネックとシャフトとを有する交換式器具を受容するように構成されている、実施態様１に記載の装置。
【００５７】
（１１）  前記鍵穴構造は、器具受容部と、器具と連結する角度付き連結面と、を備える、実施態様１に記載の装置。
（１２）  前記連結面は、前記器具のネックを、その周囲１８０度超で受容するように構成された円形状を有する、実施態様１０に記載の装置。
（１３）  前記ハウジングの中に形成された複数の水抜き穴を更に備える、実施態様１に記載の装置。
（１４）  前記複数の水抜き穴は、前記ハウジング内の前記ノブの取付方向と反対側の前記ハウジングの側面上に形成されている、実施態様１３に記載の装置。
（１５）  前記ノブは、凹面を有する押圧スポットを含む、実施態様１に記載の装置。
【００５８】
（１６）  前記ハウジングは前記ハウジング内の前記ノブの取付方向に垂直な方向にピンを受容するように構成されたピン穴を含む、実施態様１に記載の装置。
（１７）  前記ハウジングは、前記器具が前記装置に連結されたときに回転するのを防止する張り出し部を含む、実施態様１に記載の装置。
（１８）  高さを有し、ノブが内部に挿入されているハウジングを使用して、器具を定位置にロックする方法であって、
器具先端部の取り外し及び設置を可能にするために、前記ハウジングの前記高さよりも下に前記ノブを押圧することと、
前記ノブを解放して、前記器具先端部を定位置にロックすることと、
を含む、方法。
（１９）  前記器具先端部は前記ハウジングの鍵穴構造内に受容され、前記鍵穴構造は、器具受容部と連結面と切削溝とを有する、実施態様１８に記載の方法。
（２０）  第１の位置から第２の位置へ前記ノブをシフトさせて、前記器具を定位置にロックすることを含み、前記第１の位置では、前記器具のネックは実質的に前記器具受容部内にあり、前記第２の位置では、前記器具の前記ネックは実質的に前記連結面内にある、実施態様１９に記載の方法。
【図１】
2020509838.tif 000003
【図２】
2020509838.tif 000004
【図３】
2020509838.tif 000005
【図４】
2020509838.tif 000006
【図５】
2020509838.tif 000007
【図６】
2020509838.tif 000008
【図７】
2020509838.tif 000009
【図８】
2020509838.tif 000010
【図９】
2020509838.tif 000011
【図１０】
2020509838.tif 000012
【図１１】
2020509838.tif 000013
【図１２】
2020509838.tif 000014
【図１３】
2020509838.tif 000015
【図１４】
2020509838.tif 000016
【図１５】
2020509838.tif 000017
【国際調査報告】
2020509838.tif 000018
2020509838.tif 000019
2020509838.tif 000020
2020509838.tif 000021
2020509838.tif 000022